(57)【要約】【課題】人手で持運びができる軽量で車両の荷台上に着脱自在に設置できる、極めて簡易な構成であり、高圧ボンベのような長尺重量物の積込みを動力を用いることなく人力のみで行えるコストの安価な長尺重量物の積込み補助装置を得る。【解決手段】長尺重量物積込み補助装置Ａ1 は、水平基部材１に設けた支持フレーム２を介して直線上に回転自在に設けた一対のローラ３、３を備え、水平基部材１の両端の下底には脚部５、５を設けている。一対のローラ３、３は互いに対向する側が下り勾配のＶ字状に配置され、脚部５は脚座５ａと差込み板５ｂを有する。差込み板５ｂをトラック荷台の煽り扉Ｗと荷台間の隙間Ｓに差込んで設置し、ローラ３、３に高圧ボンベＢを立て掛けてローラ３、３上を滑らせ、人力で持上げ、荷台上に積込む。【選択図】図１
2005119799.tif 000002
【特許請求の範囲】
【請求項１】
水平基部材上に一対のローラを、その軸中心を基部材の長手方向の直線上に支持フレームを介して回転自在に並設し、かつ一対のローラの互いに対向する側を下り勾配のＶ字状に配設し、水平基部材の下底に、車両荷台に着脱自在に設置するための脚部を設けた長尺重量物積込み補助装置。
【請求項２】
前記脚部を水平基部材の両端に設け、両脚部には荷台と煽り扉との隙間に差込む係止板が設けられていることを特徴とする請求項１に記載の長尺重量物積込み補助装置。
【請求項３】
前記脚部を水平基部材の両端に設けた支持フレームと両フレーム間を連結した連結部材とで形成し、連結部材にはその片側中央位置に位置決め部材を設け、水平基部材の片側には当り部材を設けたことを特徴とする請求項１に記載の長尺重量物積込み補助装置。
【発明の詳細な説明】
【技術分野】
【０００１】
この発明は、高圧ボンベのような長尺重量物をトラックのような車両荷台へ積込むための積込み補助装置に関する。
【背景技術】
【０００２】
プロパン、アセチレン、酸素ガス等の高圧ガスを収容した高圧ボンベのような長尺重量物をトラック荷台に積んで輸送する場合、高圧ボンベは１本の重量が５０〜６０ｋｇと極めて重いため人手で持上げるのは重労働であり、一般に何らかの補助装置、あるいは動力装置が用いられる。動力装置としては、トラックに搭載されたクレーン、ホイストが用いられるが、このような装置は大掛かりであり、規模が大きく、高価なものであるため、全てのトラックに備えることはできない。
【０００３】
補助装置は、トラック荷台の端に高圧ボンベを斜めに立て掛けておき、その重心点を少しだけ持上げると共に高圧ボンベを水平状態になるように少し回転させた後、トラック荷台上で水平方向に移動する運動を補助するように構成されたものが多い。その一例として、特許文献１のトラック荷台へ長尺重量物を昇降させる昇降装置が公知である。この昇降装置は、トラック荷台の上方に設けた走行体にホイストを取付け、長尺重量物の背面を保持器で保持して保持具に係止されたワイヤをホイストにより巻き上げ、これによりトラック荷台の側方に立て掛けられた重量物を引き上げるように構成されている。
【０００４】
この装置では、長尺重量物はトラック荷台側方の角に接しながら重心点が荷台より上へ引き上げられると長尺重量物が自重で回転して荷台上に積上げられるようにしている。そして、ホイストによる引き上げは長尺重量物長さの１／２とされ、長尺重量物の反転後はホイストをモータ駆動により荷台内側へ移動させることにより人力を要することなく長尺重量物の全長を荷台上に引き込むことができるとしている。
【０００５】
上記特許文献１以外にも種々の補助装置が提案されているが、特許文献１の補助装置を含めて全てトラック荷台側方から高圧ボンベを持上げるための部材又は装置を突出して設け、これらの部材を引き上げるか、あるいは装置上に高圧ボンベを積載した状態でその姿勢を傾けて高圧ボンベの重心点を荷台より上方へ移動させた後、荷台内へ高圧ボンベを引き込むように構成されている。
【０００６】
このため、補助装置はクレーン程の大掛かりな装置ではないが、全体としては構成が複雑で、かなりの重量物となり、従ってトラック荷台への取付の手間が掛かり、装置のコストも掛かる。
【特許文献１】特開平８−３１９０２８号公報
【発明の開示】
【発明が解決しようとする課題】
【０００７】
この発明は、上記の問題に留意して、人手で持運びができる程の重量で車両の荷台上に着脱自在に設置できる、極めて簡易な構成であり、高圧ボンベのような長尺重量物の積込みを動力を用いることなく人力のみで行えるコストの安価な長尺重量物積込み補助装置を提供することを課題とする。
【課題を解決するための手段】
【０００８】
この発明は、上記の課題を解決する手段として、水平基部材上に一対のローラを、その軸中心を基部材の長手方向の直線上に支持フレームを介して回転自在に並設し、かつ一対のローラの互いに対向する側を下り勾配のＶ字状に配設し、水平基部材の下底に、車両荷台に着脱自在に設置するための脚部を設けた長尺重量物積込み補助装置としたのである。
【０００９】
上記の構成とした長尺重量物積込み補助装置は、トラック荷台上に高圧ボンベのような長尺重量物の１段目、２段目を積込む作業の補助装置として用いられる。１段目に積込む際には、脚部を荷台周囲の煽り扉を開き、垂れ下がった扉の上端上に補助装置を設置する。この場合、脚部の一部を荷台と煽り扉との隙間に差込んで係止するとよい。
【００１０】
このように設置された補助装置のローラに長尺重量物を斜めに立て掛け、その長尺重量物の下底を人手により持上げながら、かつローラ上を滑らせて長尺重量物を前進させ、長尺重量物の重心点がローラを通過すると自重で水平から逆傾斜状となり、後は長尺重量物を荷台へ向かって押込むだけで荷台上に積込むことができる。従って、長尺重量物を持上げる力が省力化され、積込作業が手早く、簡単にかつ効率よく行なわれることとなる。
【００１１】
長尺重量物を２段目に積込む場合は、脚部は１段目用の装置より長くし、設置位置は荷台の床上に直接とし、かつ１段目の長尺重量物の下底に接して置く。このように設置された装置のローラに１段目と同様に長尺重量物を立て掛けて当接させ、長尺重量物を持上げて積込む。なお、２段目以上に積込む装置とすることもできるが、その場合高さが高くなった分脚部を長くすればよい。
【発明の効果】
【００１２】
この発明の長尺重量物積込み補助装置は、動力装置を備えることなく人力で長尺重量物を持上げる際に、長尺重量物の全重量が掛かるのを軽減し、積込作業を省力化、効率化でき、かつ補助装置はきわめて簡易でシンプルな構成であるため軽く、移動、設置も容易であり、安価なコストで製作できるなど種々の効果を奏する。
【発明を実施するための最良の形態】
【００１３】
以下、この発明の実施形態について図面を参照して説明する。図１は第１実施形態の長尺重量物積込み補助装置の外観斜視図である。図示のように、積込み補助装置Ａ1 は、水平基部材１上に断面視ユ字状の支持フレーム２（２ａ、２ｂ、２ｃ）を介してその中心軸を水平基部材１の長手方向の１直線上に回転自在に並設された一対のローラ３、３を備えている。一対のローラ３、３はそれぞれ円柱体３ｂ、３ｂの外周にゴム材３ａ、３ａを被せて形成され、ゴム材を設けない場合にローラ表面の塗装膜が剥離するのを防止すると共に、一対のローラ３、３は、互いに向い合う端面側が下り勾配で、ローラ３と３の間の中央寄りが最も低くなるようそれぞれＶ字状の傾斜状に支持されている。
【００１４】
このため、ローラ３、３のそれぞれの両端に突出して設けられる軸４、４は、その軸心と直交して設けられる支持フレーム２ａ、２ｃに回転自在に貫設して取付けられ、かつ支持フレーム２ａ、２ｃが水平基部材１の水平面と所定角度に傾斜して固定されている。
【００１５】
Ｖ字状とすることにより負荷荷重が偏らないようにして各ローラへの荷重を軽減している。又、水平基部材１の下底面にはその長手方向の両端に脚部５、５が一体に形成されている。この脚部５、５は、脚座５ａと差込み板５ｂとをそれぞれ有する。脚座５ａ、５ａは、基部材１の両端に設けられ、両者間は不連結である。差込み板５ｂ、５ｂも両板間は不連続とされ、かつ水平基部材１の長手方向の側辺の片側に寄って設けられている。図２に上記積込み補助装置Ａ1 の詳細図の（ａ）正面図、（ｂ）平面図、（ｃ）側面図を示す。なお脚座５ａの厚さは、１段目の長尺重量物を積載するのに適当な寸法に設定されている。
【００１６】
上記の構成とした第１実施形態の積込み補助装置Ａ1 は、トラック荷台上に高圧ボンベのような長尺重量物の１段目を積載するのに用いられる。以下では長尺重量物を高圧ボンベとして説明する。但し、トラック荷台は一般に長手方向の両側辺と、後辺にそれぞれ煽り扉Ｗが設けられているが、図示の例では主として長手方向の両側辺のいずれかの側辺の煽り扉Ｗから高圧ボンベＢを積込むものとし、荷台の床面ＦＬに対し所定位置を定めて積込み補助装置Ａ1 を予め設置する。
【００１７】
この場合、装置Ａ1 は、図１に示すように、床面ＦＬと煽り扉Ｗを開いて真下に垂れ下げたときの扉Ｗとの間の隙間Ｓに脚部５の差込み板５ｂを差込み、煽り扉Ｗの上端面ＷU 上に脚座５ａを置いて設置する。こうして設置される両端の脚座５ａと５ａ間にたとえ煽り扉Ｗの蝶番（ヒンジ）Ｈが存在していても、脚座５ａと５ａの間が不連続であるため、蝶番Ｈに脚座５ａが当ることがなく装置Ａ1 を安定して設置できるのである。
【００１８】
所定位置に設置された上記積込み補助装置Ａ1 を用いて高圧ボンベＢを積込む場合、図３の（イ）に示すように、まず高圧ボンベＢの上端を垂直よりやや傾斜状に持上げてその中心が補助装置Ａ1 のローラ３、３の中央位置に合うように立て掛ける。このとき、高圧ボンベの上端部付近は、ローラ３、３に軽く接触する。この状態から人手で高圧ボンベＢの下底部付近を把持して持上げながら高圧ボンベＢのローラ３、３より下部をローラ３、３に接触させながら移動させる。
【００１９】
図３の（イ）から（ロ）までの状態では高圧ボンベは重いが、ローラ３、３に接触しながら持上げる限り、高圧ボンベＢの全重量より少し軽く、（ロ）から（ハ）の状態では高圧ボンベを持上げる重量は軽くなり、（ハ）の状態を過ぎると持上げ力は殆ど不要となり、その後は（ニ）の状態位置までローラ３、３に対して高圧ボンベＢを滑動させて移動させれば荷台上に積込みができることとなる。この場合、高圧ボンベＢは充填されているガスの種類によってサイズが若干ずつ異なり、プロパンは大、アセチレンは中、酸素ボンベその他は普通サイズであり、重量も６０〜５０ｋｇ重程度である。従って、人力で十分持上げ可能であり、スムーズな積込み作業が可能となる。
【００２０】
図４に第２実施形態の積込み補助装置Ａ2 の構成図を示す。この実施形態の積込み補助装置Ａ2 は、水平基部材１上に支持フレーム２を介して一対のローラ３、３を回転自在に配設した点は第１実施形態と同じである。しかし、この実施形態では脚部５の形状及び当板６を設けた点が異なる。脚部５は、水平基部材１の両端に垂直脚材５ｃを設け、両垂直脚材５ｃ、５ｃの下端を連結部材５ｄで連結し、さらに連結部材５ｄにはその中央位置で連結部材５ｄの側辺から片側に突出する下部脚材５ｅを設けて形成されている。
【００２１】
垂直脚材５ｃは、一対のローラ３、３を介して２段目の高圧ボンベＢを積込むのに適合する長さに脚材長さが設定されている。この長さは、図４の（ａ）図に示すように１段目の高圧ボンベＢより一対のローラ３、３上面が少し上となる適宜長さである。下部脚材５ｅは、１段目の高圧ボンベＢとＢの間に差込まれ、両ボンベＢ、Ｂの中央に補助装置Ａ2 の位置決めすると共に装置のローラ３、３にボンベＢを当接させた時の倒れ止めの役目をする。又、当板６も（ｃ）図に示すように、ボンベＢの底部に当接して倒れ止めのために設けられている。この当板６は（ａ）、（ｂ）図に示すように、水平基部材１より少し長くその側辺の片側に突出して設けられている。
【００２２】
上記構成の第２実施形態の積込み補助装置Ａ2 は、トラック荷台上に高圧ボンベＢを２段目に積込むのに使用される。１段目の高圧ボンベＢ、Ｂ……が積込まれた後、その上に高圧ボンベＢを積上げるため、積込み補助装置Ａ2 は垂直脚材５ｃが２段目高さに適合する長さに設定されている。従って、設置位置は、第１実施形態の装置Ａ1 と異なり荷台の床ＦＬ上で１段目の高圧ボンベＢ、Ｂの底部に当板６が接する位置に設置する。
【００２３】
積込作業は１段目の積込みの場合と殆ど同じであるが、２段目に高圧ボンベＢを積上げるため、１段目の場合より当然少し持上げ高さが高くなる。又、最初にローラ３、３に高圧ボンベＢを傾斜状に立掛ける角度が少し大きくなる。なお、２段目の積込みでは、積込み高さが高くなるため、同じ地面Ｇから持上げるより持上高さが短くなるように地上にボンベ直径に相当する台を置いて、その上から持上げるのが好ましい。
【００２４】
上記第１、第２実施形態ではトラック荷台上に１段目、２段目に高圧ボンベを積込むための積込み補助装置Ａ1 、Ａ2 を示したが、この発明の積込み補助装置は必要であれば脚部の形状を変えるだけで３段目の高さに高圧ボンベを積込むための補助装置とすることもできる。その場合、積込み補助装置Ａ2 の垂直脚材５ｃの長さを３段目高さに積込むのに適合する長さに設定すると共に、下部脚材５ｅは第２実施形態のように両垂直脚材５ｃと５ｃの中央に設けるのではなく、両垂直脚材５ｃ、５ｃの側方にそれぞれ設けることとなる。
【産業上の利用可能性】
【００２５】
この発明の積込み補助装置は、高圧ボンベのような長尺重量物を人力で持上げる際に最小限の人力で持上げを可能とし、トラックの荷台に積込む積込作業に適合するようにしたものであって、高圧ボンベのような長尺重量物の積込作業に広く利用される。
【図面の簡単な説明】
【００２６】
【図１】第１実施形態の長尺重量物の積込み補助装置の外観斜視図
【図２】同上装置の構成の（ａ）正面図、（ｂ）平面図、（ｃ）側面図
【図３】積込作業の説明図
【図４】第２実施形態の長尺重量物の積込み補助装置の構成の（ａ）正面図、（ｂ）平面図、（ｃ）側面図
【図５】積込作業の説明図
【符号の説明】
【００２７】
１  水平基部材
２  支持フレーム
３  ローラ
４  軸
５  脚部
【図１】
2005119799.tif 000003
【図２】
2005119799.tif 000004
【図３】
2005119799.tif 000005
【図４】
2005119799.tif 000006
【図５】
2005119799.tif 000007